(57)【要約】【課題】大画面映像の表示装置を廉価に設備し得ると共に大画面映像の運営、管理を一括して行い得る効率のよい経済的に有利な大画面映像の表示方法及びその装置のシステムを提供する。【解決手段】サーバーＰＣにプロジェクターを接続してなるクライアントＰＣをインターネット、ＬＡＮ等を介してネット接続し、サーバーＰＣからクライアントＰＣに、映像コンテンツとプロジェクターの起動、停止等の映像配信の制御スケジュールを含む映像データーを送信し、クライアントＰＣは受信した映像データーを各プロジェクターに出力し、各プロジェクターが所定位置に設置する大画面スクリーンに映像コンテンツを投射して、所定スケジュールの下で映像表示することを特徴とする。【選択図】図１
2006267956.tif 000002
【特許請求の範囲】
【請求項１】
サーバーＰＣにインターネット、ＬＡＮ等を介してプロジェクターを接続してなる一又は複数のクライアントＰＣをネット接続し、サーバーＰＣからクライアントＰＣに、映像コンテンツとプロジェクターの起動、停止等の映像配信の制御スケジュールを含む映像データーを送信し、クライアントＰＣは受信した映像データーを各プロジェクターに出力し、各プロジェクターが所定位置に設置する大画面スクリーンに映像コンテンツを投射して、所定スケジュールの下で映像表示するようにすることを特徴とする大画面映像の表示方法。
【請求項２】
サーバーＰＣにインターネット、ＬＡＮ等を介して一又は複数のクライアントＰＣをネット接続すると共に該クライアントＰＣにプロジェクターを接続してなり、サーバーＰＣからクライアントＰＣに、映像コンテンツとプロジェクターの起動、停止等の映像配信の制御スケジュールを含む映像データーを送信し、クライアントＰＣは受信した映像データーをプロジェクターに出力し、プロジェクターが所定位置に設置する大画面スクリーンに映像コンテンツを投射して、所定スケジュールの下で映像表示するように構成したことを特徴とする大画面映像の表示装置。
【請求項３】
前記大画面スクリーンが、プロジェクターによる背面投射の場合にあっては、透明ガラス板や透明アクリル樹脂板等に広視野角タイプのプロジェクター用透過型スクリーンフィルムを貼り付けてなる請求項２に記載の大画面映像の表示装置。
【請求項４】
前記大画面スクリーンが、プロジェクターによる背面投射の場合にあっては、大画面スクリーンの後背部にプレハブ・ハウジングを設けて屋根付きで囲うようにしてなる請求項２又は３に記載の大画面映像の表示装置。
【請求項５】
前記クライアントＰＣに映像表示の稼動状態を確認し得るＵＳＢ接続、ネットワーク接続等の監視カメラをセットしてなる請求項２、３又は４に記載の大画面映像の表示装置。
【請求項６】
前記大画面スクリーンの前面に昇降自在の電動シャッターを設け、該電動シャッターの前表面を看板広告スペースとして利用する請求項２に記載の大画面映像の表示装置。
【発明の詳細な説明】
【技術分野】
【０００１】
本発明は、屋内外において遠いところからも視認性の高い大画面映像を表示し得る大画面映像の表示方法及びその装置に関するものである。
【背景技術】
【０００２】
近年、繁華街等に面した建造物の外壁面や屋上正面、或いは屋内外のイベント会場や競技場等には、遠くからでも多数の人々の目を惹くことができるように大画面映像の表示装置が据え付けられ、その大画面スクリーン上に広告、宣伝や案内、その他各種の映像の映し出しが行われている。
【０００３】
従来のこの種大画面映像の表示装置には、プラズマテレビ、液晶テレビ、ＬＥＤ（発光ダイオード）モニター等の発光素子を使用した機種が知られているが、映像画面のサイズからみれば、プラズマテレビにあっては７０インチサイズ程度、液晶テレビにあっては５０インチサイズ程度を上限とするものであり、それらのサイズ以上の遠くからの視認性により優れる望ましいサイズとされる２００インチサイズ程度の大画面映像となると、それに対応し得るのはＬＥＤモニターのみの現状であった。
【０００４】
しかしながら、ＬＥＤモニターを使用した大画面映像の表示装置は、きわめて高価であって、その設備には多大な費用が嵩むことから、かかる大画面映像の表示装置の普及は難しく必然的に個々の設置者が独自に映像コンテンツの企画、制作等を含む運営、管理を負担しなければならず、きわめてコストのかかる不経済なものであった。
【０００５】
【特許文献１】特開２００１−３３７６２８号公報
【発明の開示】
【発明が解決しようとする課題】
【０００６】
本発明が解決しようとする課題は、遠くからの視認性に優れる２５０インチサイズ程度内の大画面映像の表示装置をプロジェクターを用いて廉価に設備し得るようになすと共にサーバーＰＣ（管理コンピュター）からインターネット、ＬＡＮ等を介して一又は複数のクライアントＰＣ（端末コンピュター）に映像コンテンツ、配信スケジュールを送信し、クライアントＰＣで受信した映像コンテンツをプロジェクターに出力して、所定の大画面スクリーンに映像コンテンツを投射し、映像表示することができるようになし、各プロジェクターによる大画面映像の運営、管理を一括して行い得る効率のよい経済的に有利な大画面映像の表示方法及びその装置のシステムを提供することである
【課題を解決するための手段】
【０００７】
本発明に係る大画面映像の表示方法は、本部のサーバーＰＣにインターネット、ＬＡＮ等を介してプロジェクターを接続してなる一又は複数のクライアントＰＣをネット接続し、サーバーＰＣからクライアントＰＣに、映像コンテンツとプロジェクターの起動、停止等の映像配信の制御スケジュールを含む映像データーを送信し、クライアントＰＣは受信した映像データーを各プロジェクターに出力し、各プロジェクターが所定位置に設置する大画面スクリーンに映像コンテンツを投射して、所定映像を所定スケジュールの下で映像表示するようにすることを最も主要な特徴とするものである。
【０００８】
そして、上記の本発明に係る大画面映像の表示方法の実施に使用する本発明に係る大画面映像の表示装置は、本部のサーバーＰＣにインターネット、ＬＡＮ等を介して一又は複数のクライアントＰＣをネット接続すると共に該クライアントＰＣにプロジェクターを接続してなり、サーバーＰＣからクライアントＰＣに、映像コンテンツとプロジェクターの起動、停止等の映像配信の制御スケジュールを含む映像データーを送信し、クライアントＰＣは受信した映像データーをプロジェクターに出力し、プロジェクターが所定位置に設置する大画面スクリーンに映像コンテンツを投射して、所定スケジュールの下で映像表示するように構成したことを最も主要な特徴とするものである。
【発明の効果】
【０００９】
本発明に係る大画面映像の表示方法及びその装置のシステムは、本部のサーバーＰＣからインターネット、ＬＡＮ等を介してクライアントＰＣに映像コンテンツを送信し、クライアントＰＣで受信した映像コンテンツをプロジェクターに出力して遠隔操作による一括管理の下で所定の大画面映像を表示し得るものであるから、複数の大画面映像の表示装置を効率よく経済的に設備し得ると共に各大画面映像を一括して経済的に運営、管理することができるという利点がある。
【発明を実施するための最良の形態】
【００１０】
本発明は、大画面映像の表示装置を廉価に設備し得ると共に大画面映像の運営、管理を一括して行い得る効率のよい経済的に有利な大画面映像の表示方法及びその装置のシステムを提供するという目的を、映像コンテンツをインターネット、ＬＡＮ等を利用してデーター送信する手段と、該映像コンテンツをプロジェクターによって所定の大画面スクリーンに映像投射する手段とを組み合わせることによって、きわめて効率よく経済的に実現した。
【実施例１】
【００１１】
図１は、本発明に係る大画面映像の表示システムの基本的な構成図であり、これを参照して説明すると、本部のサーバーＰＣ１とクライアントＰＣ２は、ＬＡＮを経て接続されると共にクライアントＰＣ２には、プロジェクター３が接続される。更には、ＬＡＮのみならず図２に示すように、本部のサーバーＰＣ１と一又は複数のクライアントＰＣ２は、インターネットを経て直接に又は当該クライアントＰＣ２のサーバーＰＣ１ａを介してネットワーク接続されてもよい。
【００１２】
本部のサーバーＰＣ１からデーターエントリーしてなるクライアントＰＣ２を指定してＤＶＤ等のメディア・プレイアー４等を介して入力される映像データをクライアントＰＣ２に送信する。
【００１３】
サーバーＰＣ１は、サーバー用映像配信ソフトをインストールしてなる。該サーバーＰＣ１は、インターネット、ＬＡＮ等を経て接続するクライアントＰＣ２に接続され、ＤＶＤプレイヤー、その他のメディア・プレーヤー４等から入力される映像コンテンツ及びプロジェクター３の起動、停止等の制御信号を含む配信スケジュール等からなる映像データを送信する。
【００１４】
クライアントＰＣ２は、クライアント用映像配信ソフト及び当該クライアントＰＣ２自体の指定動作をタイマーセットした制御スケジュールソフトを各々インストールしてなる。
【００１５】
該クライアントＰＣ２は、サーバーＰＣ１から受信した映像データーに基づいてプロジェクター３を所定スケジュールの下で起動すると共に映像コンテンツをプロジェクター３に出力する。
【００１６】
クライアントＰＣ２からプロジェクター３に出力される映像コンテンツは、プロジェクター３から店舗等の建造物５の屋上正面等の人目を惹く位置に設置された大画面スクリーン６に背面投射される。
【００１７】
プロジェクター３は、固定短焦点レンズを搭載した高輝度プロユースタイプの高解像度モデル機種であることが望ましい。例えば、レンズとしては、株式会社日立製のＦＬ−５０１Ｈが好適である。また、プロジェクター３としては、株式会社日立製の液晶プロジェクターＣＰ−Ｘ１２５０Ｊが好適である。プロジェクター３による投射映像の焦点距離を短くして装置の設備スペースを小さく設定して鮮明な映像を表示するためである。
【００１８】
該プロジェクター３は、インターネット、ＬＡＮ等を利用してランプの発光時間や電源のＯＮ・ＯＦＦ等、ネットワーク経由で各々のプロジェクター３の一括管理が可能である。また、各々のプロジェクター３にＩＰアドレスを設定することにより、コンピューター画面から直接リモート操作することが可能である。
【００１９】
該プロジェクター３の背面投射に対応する大型スクリーン６は、透明ガラス板や透明アクリル樹脂板等を基材にして広視野角タイプのプロジェクター用透過型スクリーンフィルムを貼り付けて形成することができる。例えば、スクリーンフイルムとしては東京都新宿区・株式会社きもと製のディラッドスクリーンＧＳが好適である。
【００２０】
大画面スクリーン６を、例えば、３ｍ×４ｍの２００インチサイズに設定する場合、その基材として強度を保つ上から１０ｍｍ厚のアクリル板２枚を機枠で同一面を形成するように連結設定するとよいが、その場合、重量は２００ｋｇ程度に至ることから、設置場所においは強固なフレーム１０を設け、これに吊り下げ式即ち下端解放状態にて垂設固定することが好ましい。アクリル板が温度変化による膨張収縮によりその寸法を変化させることに対応するためである。
【００２１】
また、アクリル板に替えてガラス板を使用する際は、強化ガラスの場合は１２ｍｍ厚、フロートガラスの場合は１５ｍｍ厚が好適である。かかるガラス板を使用するときは、温度変化による膨張収縮がないので、四辺を囲繞するフレームに据え置き固定することができる。
【００２２】
また、ＶＰＮ接続サービスによって、外部ＰＣからウインドウズのリモートデスクトップ機能が使用可能となり、外部ＰＣからリモート操作することができると共にネットカメラ等の使用が可能となることから、図１に示すように、クライアントＰＣ２に映像表示の稼動状態を確認し得るＵＳＢ、ネットワーク等で接続の監視カメラ７をセットすることができる。これにより、映像表示の障害発生時にも現場に出向くことなく、本部、管理センター等において、プロジェクター３及びクライアントＰＣ２、その他の機材のリモート操作で対応することができる。
【００２３】
また、プロジェクター３及びクライアントＰＣ２の機器は、現場において、屋根付きのプレハブハウジング８、保護ケース（図示省略）等を設けてその内部に収納することが好ましく、その際、プロジェクター３及びクライアントＰＣ２からの発熱を冷却するため、プロジェクター３及びクライアントＰＣ２を収納してなる保護ケースをプレハブハウジング８の内部に設置し、該保護ケース内に専用クーラーを内蔵すると共にプレハブハウジング８には温度センサー付きの自動換気扇等を設けるのがよい。
【００２４】
プロジェクター３の背面投射に対応する透過型スクリーンをもって大画面スクリーン６とする場合には、大画面スクリーン６の後背部に屋根付きのプレハブハウジング８を設けて囲うと、プロジェクター３の投射光の軌道上への外部光の侵入を防ぐことができ、鮮明な画像が得易くなると共に、映像機器類のすべてを室内に収容できることから、プロジェクター３及びクライアントＰＣ２、その他の機器についてのメーカー保証を受け易くするという利点がある。
【００２５】
大画面スクリーン６の前面には巻上げ式等の電動シャッターを設けることが好ましく、図３に示すように大型スクリーン６の前面上部に電動シャッターの巻上げ収納部９を設けるのがよい。
【００２６】
プロジェクター３により投射される大画面スクリーン６への映像は、夕暮れ時から夜間にかけては充分に視認性に優れたコントラストの映像を得ることができる。しかし、昼間時に視認性の高い高輝度を得ることができないことから、昼間時の使用には適さないといえる。従って、大画面スクリーン６の前面には電動シャッターを昇降可能に設けるのがよい。該電動シャッターの昇降動作をタイマーセットしてなる制御スケジュールソフトをクライアントＰＣ２にインストールし、電動シャッターの開閉をネットワークで自動化することができる。
【００２７】
昼間時は電動シャッターを閉じて、その前表面は、看板、広告用のスペースとして利用するようになし、これにより、昼間は看板として、夜間は映像画面として二態様に演出でき、大画面スクリーン６のスペースを有効活用することができる。
【００２８】
映像コンテンツは、例えば、動画はＭＰＥＧ、静止画はＪＰＥＧ等に準拠するデーター形式で、４：３又は１６：９の画像で制作し、完成した映像コンテンツは、各種のＤＶＤ等のメディアやネットワーク等を介してサーバーＰＣ１に入力され、インターネット、ＬＡＮ等を経てクライアントＰＣ２にデータ送信されるものであることから、映像コンテンツの制作を集中専業化することを可能とすることができる。これにより、映像コンテンツの質的向上及び制作コストの低減を図ることができる。
【００２９】
本発明は、そもそもプラズマテレビ、液晶テレビ、ＬＥＤモニター等の発光素子を使用してなる従来の大画面映像の表示装置を念頭に、これに主として経済的に対抗すべく案出したものであることから、プロジェクター３による大画面スクリーン６への背面投射を第一義とするものであるが、大画面スクリーン６を据え付ける現場において、大画面スクリーン６の前方に保護ケースに収納する等してなるプロジェクター３及びクライアントＰＣ２等の機器の設置が可能であるような場合には、プロジェクター３による大画面スクリーン６への前面投射を行うこともできる。かかる前面投射の場合、一般的なノーマルスクリーンを使用することができることから、一層廉価に製造できてより経済的に本発明を実施できる。
【産業上の利用可能性】
【００３０】
本発明は、大画面映像の表示装置を廉価に設備し得ると共に大画面映像の運営、管理を一括して行い得る効率のよい経済的に有利な大画面映像の表示方法及びその装置のシステムを提供するという目的を、映像コンテンツをインターネット、ＬＡＮ等を利用してデーター送信する手段と、該映像コンテンツをプロジェクターによって所定の大画面スクリーンに映像投射する手段とを組み合わせることによって、きわめて効率よく経済的に実現したことによって、企業、店舗の広告宣伝媒体、その他として広く大画面映像を活用することができる。
【図面の簡単な説明】
【００３１】
【図１】本発明の大画面映像の表示装置の一実施例を示す基本的なシステム構成図である。
【図２】同インターネットを経由するシステム構成図である。
【図３】大画面スクリーンの正面図である。
【符号の説明】
【００３２】
１    本部のサーバーＰＣ
１ａ  サーバーＰＣ
２    クライアントＰＣ
３    プロジェクター
４    メディア・プレイヤー
５    店舗等の建造物
６    大画面スクリーン
７    監視カメラ
８    プレハブ・ハウジング
９    電動シャッターの巻上げ収納部
１０    フレーム
【図１】
2006267956.tif 000003
【図２】
2006267956.tif 000004
【図３】
2006267956.tif 000005